(57)【要約】  公共交通機関の乗客のモバイルデバイスから得られた人口統計学的情報は保存され、その後、独立したディスプレイ上でモバイルデバイスのユーザーに表示される広告コンテンツを選択する際に用いられる。広告は、豊富なデータとともに、公共交通機関内のディスプレイ上に表示された映像、例えば、広告に関連する音声コンテンツまたは補助的な広告コンテンツの形態をとることもあり、豊富なデータは無線ネットワークを介して複数のユーザーに送信され、モバイルデバイス上で再生可能となる。表示されている広告の確認は、広告が表示された複数のユーザーのモバイルデバイスに関連する人口統計学的情報とともに、コンピュータデータベース上に保存される。【選択図】図１
2016531373.tif 000002
【特許請求の範囲】
【請求項１】
公共交通機関の少なくとも１つのルートの複数のユーザーに関する人口統計学的情報を収集する方法であって、
公共交通機関の近くに無線通信デバイスを提供する工程、
複数のユーザーの各々のモバイルデバイスのモバイルデバイスＩＤを決定するために、無線通信デバイスを用いて複数のユーザーの任意のモバイルデバイスと無線で通信する工程、
コンピュータのデータベースにモバイルデバイスＩＤを保存する工程、および、
コンピュータのデータベース上に各々のモバイルデバイスＩＤに関連して追加の人口統計学的情報を保存する工程、を含む、方法。
【請求項２】
公共交通機関のルートのルートＩＤ、ユーザーの交通機関の乗車位置、ユーザーの交通機関の下車位置、ユーザー交通機関の日時、モバイルサービスプロバイダーからのユーザー情報、モバイルデバイス上で実行されたアプリケーションに由来するユーザー情報、あるいはこれらの任意の組み合わせを含む人口統計学的情報を保存する工程を含む、請求項１に記載の方法。
【請求項３】
公共交通機関は地下鉄、列車、路面電車、バス、飛行機、タクシーなどを含む、請求項１または２に記載の方法。
【請求項４】
公共交通機関の乗車位置に、公共交通機関の下車位置に、公共交通機関のルートに沿って、公共交通機関の乗り物に、または、公共交通機関のこれらの任意の組み合わせに、無線通信デバイスを提供する工程を含む、請求項１乃至３のいずれか１つに記載の方法。
【請求項５】
ｉ）公共交通機関の複数のユーザーのモバイルデバイスに関連する人口統計学的情報と最も密接に関連する人口統計学的な格付けを有する複数の広告中の１つの広告を選択し、ｉｉ）選択された広告を表示することにより、複数のユーザーのモバイルデバイスに関連する人口統計学的情報に従って、複数のユーザーに広告を表示する工程を含む、請求項１乃至４のいずれか１つに記載の方法。
【請求項６】
ｉ）公共交通機関の複数のユーザーへ広告を表示する工程、
ｉｉ）モバイルデバイス上で実行可能なアプリケーションを介してモバイルネットワークから広告に関連する豊富なデータを入手するように複数のユーザーのモバイルデバイスを促す工程、および、
ｉｉｉ）モバイルデバイス上で実行可能なアプリケーションに由来するユーザー情報を、それぞれのモバイルデバイスＩＤと連携してコンピューターデータベース上に保存する工程、
をさらに含む、請求項１乃至５のいずれか１つに記載の方法。
【請求項７】
公共交通機関の複数のユーザーへ視覚的な広告を表示する工程と、視覚的な広告と連携して各ユーザーのモバイルデバイス上で再生可能な音声コンテンツの形態で豊富なデータを複数のユーザーに提供する工程を含む、請求項１乃至６のいずれか１つに記載の方法。
【請求項８】
音声コンテンツをモバイルネットワーク上でストリーミング配信する工程を含む、請求項７に記載の方法。
【請求項９】
公共交通機関の複数のユーザーのモバイルデバイスに関連する人口統計学的情報に従って複数のユーザーに広告を表示する工程、
表示されている広告の確認をコンピューターデータベース上に保存する工程、および、
広告の確認と連携して、コンピューターデータベース上に、複数のユーザーのモバイルデバイスに関連する人口統計学的情報を保存する工程を含む、請求項１乃至８のいずれか１つに記載の方法。
【請求項１０】
公共交通機関の選択されたルートに沿って広告を表示する工程、
複数のユーザーのどのユーザーが前記選択されたルートを使用したかを決定する工程、および、
選択されたルートに沿って表示されている広告の確認と連携して、コンピューターデータベース上に、選択されたルートを使用したユーザーのみのモバイルデバイスに関連する人口統計学的情報を保存する工程を含む、請求項９に記載の方法。
【請求項１１】
各ユーザーについて乗車位置と下車位置の複数のユーザーのモバイルデバイスと無線通信することにより、複数のユーザーのどのユーザーが選択されたルートを使用したかを決定する工程を含む、請求項１０に記載の方法。
【請求項１２】
モバイルデバイスの複数のユーザーに広告を表示する方法であって、
モバイルデバイスとは無関係にディスプレイを提供する工程、
ディスプレイの近くで無線通信デバイスを提供する工程、
複数のユーザーの各モバイルデバイスに関連するモバイルデバイスＩＤと人口統計学的情報を決定するために、無線通信デバイスを使用して複数のユーザーのモバイルデバイスと無線通信する工程、
複数のユーザーのモバイルデバイスに関連する人口統計学的情報と最も密接に関連する人口統計学的な格付けを有する複数の広告の中の１つの広告を選択する工程、および、
ディスプレイ上に選択された広告を表示する工程、を含む、方法。
【請求項１３】
複数のユーザーのモバイルデバイスにモバイルデバイス上のアプリケーションを実行するよう促す工程、
モバイルデバイス上のアプリケーションを介してモバイルネットワークからユーザーに広告に関連する豊富なデータを提供する工程、および、
モバイルデバイス上のアプリケーションを介してユーザーから追加の人口統計学的情報を入手する工程、を含む、請求項１２に記載の方法。
【請求項１４】
モバイルデバイスの複数のユーザーに広告を表示する方法であって、
モバイルデバイスとは無関係にディスプレイを提供する工程、
ディスプレイ上で複数のユーザーに映像広告を表示する工程、および、
モバイルネットワーク上で複数のユーザーに対して広告に関連する音声コンテンツの形態で豊富なデータを提供する工程であって、音声コンテンツは映像広告と同期してモバイルデバイス上で再生可能である、工程を含む、方法。
【請求項１５】
ｉ）モバイルデバイス上で実行可能なアプリケーションを提供する工程、および、
ｉｉ）無線ネットワークで音声コンテンツをストリーミング配信することにより、音声コンテンツを再生するためにアプリケーションを使用する工程、をさらに含む、請求項１４に記載の方法。
【請求項１６】
ｉ）モバイルデバイス上で実行可能なアプリケーションを提供する工程、および、
ｉｉ）複数のユーザーに映像広告を表示する前に、前記アプリケーションによって入手されたモバイルデバイス上のプレインストールされたデータの形態の音声コンテンツを再生するために前記アプリケーションを使用する工程、をさらに含む、請求項１４に記載の方法。
【請求項１７】
モバイルデバイスのカメラを用いて独立したディスプレイ上でビジュアルトリガーをキャプチャすることにより、映像広告と同期した音声コンテンツの再生を開始する工程を含む、請求項１４または１５のいずれか１つに記載の方法。
【請求項１８】
ｉ）独立したディスプレイが公共交通機関のルートに沿って提供され、ｉｉ）モバイルデバイスが公共交通機関の乗り物にいるユーザーによって運ばれ、および、ｉｉｉ）映像広告が、公共交通機関の乗り物が独立したディスプレイに接近することにより開始され、
乗車位置からの公共交通機関の乗り物の出発時間、ルートに沿った公共交通機関の乗り物の速度、および乗車位置からのルートに沿った独立したディスプレイの距離を用いて、独立したディスプレイまでのモバイルデバイスの近さを計算することにより、映像広告と同期して音声コンテンツの再生を開始する工程をさらに含む、請求項１４または１５のいずれか１つに記載の方法。
【請求項１９】
モバイルデバイスの複数のユーザーに広告を表示する方法であって、
モバイルデバイスとは無関係にディスプレイを提供する工程、
ディスプレイ上で複数のユーザーに映像広告を表示する工程、
無線ネットワークで複数のユーザーへ映像広告に関連する補助的な広告コンテンツを提供する工程であって、補助的な広告コンテンツがモバイルデバイス上で再生可能である、工程を含む、方法。
【請求項２０】
補助的な広告コンテンツは、独立したディスプレイ上に表示される映像広告の続編である映像コンテンツを含む、請求項１９に記載の方法。
【請求項２１】
ｉ）モバイルデバイス上でアプリケーションを実行するように複数のユーザーのモバイルデバイスを促す工程、
ｉｉ）モバイルデバイス上のアプリケーションを介してモバイルネットワークから補助的な広告コンテンツをモバイルデバイスに提供する工程、および、
ｉｉｉ）モバイルデバイス上のアプリケーションを介してユーザーから追加の人口統計学的情報を入手する工程、をさらに含む、請求項１９または２０のいずれか１つに記載の方法。
【請求項２２】
モバイルデバイスの複数のユーザーに広告を表示する方法であって、
モバイルデバイスとは無関係にディスプレイを提供する工程、
ディスプレイの近くで無線通信デバイスを提供する工程、
複数のユーザーの各モバイルデバイスに関連するモバイルデバイスＩＤと人口統計学的情報を決定するために、無線通信デバイスを使用して、複数のユーザーのモバイルデバイスと無線通信する工程、
複数のユーザーのモバイルデバイスに関連した人口統計学的情報に従って公共交通機関の複数のユーザーに広告を表示する工程、
コンピューターデータベースに表示されている広告の確認を保存する工程、および、
広告の確認と連携してコンピューターデータベース上に複数のユーザーのモバイルデバイスに関連する人口統計学的情報を保存する工程、を含む、方法。
【発明の詳細な説明】
【技術分野】
【０００１】
本発明は、公共交通機関の乗客のモバイルデバイスに由来する人口統計学的情報を保存する方法と、モバイルデバイスに由来する人口統計学的情報に基づいて独立したディスプレイ上でモバイルデバイスのユーザーに広告を表示する方法に関する。
【背景技術】
【０００２】
レシピエントの最適な人口統計をターゲットとする広告は、誰もターゲットとしない広告よりも優れたリソースの使用法であることは一般に知られている。これに応じて、あらゆる広告を見る可能性のある受け手の人口統計を知ることが望ましい。スマートフォン上に広告を表示しようとする様々な試みが知られており、これはスマートフォンのユーザーに関する特定の人口統計学的情報に従った広告をターゲットとしようとするものである。しかしながら、どんな既知の技術も、広告に関する公的な表示、例えば公共交通機関に関連する広告表示に容易に使用することはできない。
【発明の概要】
【発明が解決しようとする課題】
【０００３】
本発明の第１の態様によれば、公共交通機関の少なくとも１つのルートの複数のユーザーに関する人口統計学的情報を収集する方法が提供され、該方法は、
公共交通機関の近くに無線通信デバイスを提供する工程、
複数のユーザーの各々のモバイルデバイスのモバイルデバイスＩＤを決定するために、無線通信デバイスを用いて複数のユーザーの任意のモバイルデバイスと無線で通信する工程、
コンピュータのデータベースにモバイルデバイスＩＤを保存する工程、および、
コンピュータのデータベース上に各々のモバイルデバイスＩＤに関連して追加の人口統計学的情報を保存する工程、を含む。
【０００４】
多くのユーザーの電話ＩＤを保存することによって、その電話ＩＤによって識別された各ユーザーの履歴は蓄積可能である。その後、各ユーザーに関する交通機関のパターンを決定することができ、このパターンにより各ユーザーに関する人口統計学的な仮定を作ることが可能となる。この情報は、受動的に、例えば電話の無線接続によって、または能動的に、例えば、ユーザーのモバイルデバイス上で実行可能なアプリケーションによって、あるいは無線サービスプロバイダーなどとの提携により獲得された他の人口統計学的情報と組み合わせることも可能である。収集された人口統計学的情報は、公共交通機関環境での広告と他の一般的な広告用途の両方で使用可能である。ユーザーが実行可能なアプリケーションを介して補足的な人口統計学的情報を共有することを選んでいなくても、例えば、個々のユーザーにのみ関連する交通機関パターンは、ユーザーに関する特定の仮定が成り立ちうるように、潜在的に価値のある人口統計学的情報である。例えば、ユーザーの経歴の仮定は、本発明によって獲得される交通機関パターンから決定される通勤時間と目的地に基づいて立てられることがある。
【０００５】
人口統計学的情報の例としては、公共交通機関のルートのルートＩＤ、ユーザーの交通機関の乗車位置、ユーザーの交通機関の下車位置、ユーザー交通機関の日時、モバイルサービスプロバイダーからのユーザー情報、モバイルデバイス上で実行されたアプリケーションに由来するユーザー情報、あるいはこれらの任意の組み合わせが挙げられる。
【０００６】
公共交通機関は地下鉄、列車、路面電車、バス、飛行機、タクシーなどであってもよい。
【０００７】
無線通信デバイスは、公共交通機関の乗車位置に、公共交通機関の下車位置に、公共交通機関のルートに沿って、公共交通機関の乗り物に、または、公共交通機関のこれらの任意の組み合わせに位置してもよい。
【０００８】
公共交通機関の複数のユーザーへの広告の表示は、ｉ）複数のユーザーのモバイルデバイスに関連する人口統計学的情報と最も密接に関連する人口統計学的な格付け（ｒａｔｉｎｇ）を有する複数の広告中の１つの広告を選択し、ｉｉ）選択された広告を表示することにより、複数のユーザーのモバイルデバイスに関連する人口統計学的情報に従って遂行されてもよい。
【０００９】
公共交通機関の複数のユーザーへ広告を表示する前、またはその最中に、複数のユーザーのモバイルデバイスは、モバイルデバイス上で実行可能なアプリケーションを介してモバイルネットワークから広告に関連する豊富な（ｅｎｒｉｃｈｅｄ）データを入手するように促されてもよい。その後、モバイルデバイス上で実行可能なアプリケーションに由来するユーザー情報は、将来の使用のためにそれぞれのモバイルデバイスＩＤと連携してコンピューターデータベース上に保存されることもある。豊富なデータは、例えば、視覚的な広告と連携して各ユーザーのモバイルデバイス上で再生可能な音声コンテンツの形態であってもよい。音声コンテンツはモバイルネットワーク上でストリーミング配信されてもよい。
【００１０】
該方法は、複数のユーザーのモバイルデバイスに関連する人口統計学的情報と一緒に表示されている広告の確認を、コンピューターデータベース上に保存する工程をさらに含むこともある。公共交通機関の選択されたルートに沿って広告を表示する場合、該方法は好ましくは、ｉ）複数のユーザーのどのユーザーが選択されたルートを使用したかを決定する工程、およびｉｉ）選択されたルートに沿って表示されている広告の確認と連携して、コンピューターデータベース上に、選択されたルートを使用したユーザーのみのモバイルデバイスに関連する人口統計学的情報を保存する工程を含む。どのユーザーが選択されたルートを使用したかは、各ユーザーの乗車位置と下車位置の複数のユーザーのモバイルデバイスと無線通信することにより決定されることもある。
【００１１】
本発明の第２の態様によれば、モバイルデバイスの複数のユーザーに広告を表示する方法が提供され、該方法は、
モバイルデバイスとは無関係にディスプレイを提供する工程、
ディスプレイの近くで無線通信デバイスを提供する工程、
複数のユーザーの各モバイルデバイスに関連するモバイルデバイスＩＤと人口統計学的情報を決定するために、無線通信デバイスを使用して複数のユーザーのモバイルデバイスと無線通信する工程、
複数のユーザーのモバイルデバイスに関連する人口統計学的情報と最も密接に関連する人口統計学的な格付けを有する複数の広告の中の１つの広告を選択する工程、および、
ディスプレイ上に選択された広告を表示する工程、を含む。
【００１２】
この例における方法はさらに以下の工程を含むこともある：ｉ）複数のユーザーのモバイルデバイスにモバイルデバイス上のアプリケーションを実行するよう促す工程、
ｉｉ）モバイルデバイス上のアプリケーションを介してモバイルネットワークからユーザーに広告に関連する豊富なデータを提供する工程、および、ｉｉｉ）モバイルデバイス上のアプリケーションを介してユーザーから追加の人口統計学的情報を入手する工程。
【００１３】
本発明の第３の態様によれば、モバイルデバイスの複数のユーザーに広告を表示する方法が提供され、該方法は、
モバイルデバイスとは無関係にディスプレイを提供する工程、
ディスプレイ上で複数のユーザーに映像広告を表示する工程、および、
モバイルネットワーク上で複数のユーザーに対して広告に関連する音声コンテンツの形態で豊富なデータを提供する工程であって、音声コンテンツは映像広告と同期してモバイルデバイス上で再生可能である、工程を含む。
【００１４】
該方法はモバイルデバイス上で実行可能なアプリケーションを提供する工程、および無線ネットワークで音声コンテンツをストリーミング配信することにより音声コンテンツを再生するためにアプリケーションを使用する工程を含むことがある。代替的に、実行可能なアプリケーションは、複数のユーザーに映像広告を表示する前にアプリケーションによって入手されたモバイルデバイス上のプレインストールされたデータの形態の音声コンテンツを再生するために使用されてもよい。
【００１５】
映像広告と同期した音声コンテンツの再生の開始は、１つの実施形態において、モバイルデバイスのカメラを用いて独立したディスプレイ上でビジュアルトリガー（ｖｉｓｕａｌ  ｔｒｉｇｇｅｒ）をキャプチャすることにより達成されることがある。
【００１６】
他の実施形態において、ｉ）独立したディスプレイが公共交通機関のルートに沿って提供される場合、ｉｉ）モバイルデバイスが公共交通機関の乗り物にいるユーザーによって運ばれる場合、および、ｉｉｉ）映像広告が、公共交通機関の乗り物が独立したディスプレイに接近することにより開始される場合、映像広告と同期して音声コンテンツの再生を開始する方法は、乗車位置からの公共交通機関の乗り物の出発時間、ルートに沿った公共交通機関の乗り物の速度、および乗車位置からのルートに沿った独立したディスプレイの距離を用いて、独立したディスプレイまでのモバイルデバイスの近さを計算することにより実現されることがある。
【００１７】
本発明の別の態様によれば、モバイルデバイスの複数のユーザーに広告を表示する方法が提供され、該方法は、
モバイルデバイスとは無関係にディスプレイを提供する工程、
ディスプレイ上で複数のユーザーに映像広告を表示する工程、
無線ネットワークで複数のユーザーへ映像広告に関連する補助的な広告コンテンツを提供する工程であって、補助的な広告コンテンツがモバイルデバイス上で再生可能である、工程を含む。
【００１８】
補助的な広告コンテンツは、独立したディスプレイ上に表示される映像広告の続編である映像コンテンツを含んでもよい。
【００１９】
本発明の別の態様によれば、モバイルデバイスの複数のユーザーに広告を表示する方法が提供され、該方法は、
モバイルデバイスとは無関係にディスプレイを提供する工程、
ディスプレイの近くで無線通信デバイスを提供する工程、
複数のユーザーの各モバイルデバイスに関連するモバイルデバイスＩＤと人口統計学的情報を決定するために、無線通信デバイスを使用して、複数のユーザーのモバイルデバイスと無線通信する工程、
複数のユーザーのモバイルデバイスに関連した人口統計学的情報に従って公共交通機関の複数のユーザーに広告を表示する工程、
コンピューターデータベースに表示されている広告の確認を保存する工程、および、
確認と連携してコンピューターデータベース上に複数のユーザーのモバイルデバイスに関連する人口統計学的情報を保存する工程、を含む。
【００２０】
ここで、本発明の様々な実施形態が添付の図面と共に記載される。
【図面の簡単な説明】
【００２１】
【図１】ルートに沿って提供された広告が表示されている、乗車ホームと下車ホームの間を移動する地下鉄の列車の形態をした公共交通機関の概略図である。
【図２】本明細書に記載される方法を実行するための本発明に係る広告システムの概略図である。
【発明を実施するための形態】
【００２２】
図において、参照の類似する特徴は異なる図の対応する部分を示す。
【００２３】
付随する図面を参照して、参照数字（１０）によって一般に指示される広告システムが例証されている。システム（１０）はとりわけ公共交通機関（１２）での使用に適しており、以下に詳細に記載されるような広告システム全体の一部を形成する人口統計学的収集システムと協働して動作することもある。人口統計学的収集システムは、公共交通機関のユーザーによって運ばれる無線のモバイルデバイス（１５）、例えば、スマートフォン、タブレットなどと通信する。
【００２４】
例示される例において、公共交通機関は、乗客ターミナルまたはホームなどの１つ以上の乗車位置（１４）と１つ以上の下車位置（１６）を有する地下鉄システムの少なくとも１つのルートを含む。交通機関の乗り物（１８）は、地下鉄システムの様々なルートに従って、様々な乗車位置と下車位置との間の１つ以上の固定された線路に沿ってユーザーを運ぶための地下鉄車両を含む。
【００２５】
他の例において、交通機関は、列車、路面電車、バス、飛行機、タクシーなどの他の形態を含むことがある。
【００２６】
広告システムは一般に、広告を表示するために配された様々な形態の複数のディスプレイ（２０）を含む。好ましい実施形態では、ディスプレイは様々な形式の映像情報をひとまとめに表示するために配される。好ましくは、ディスプレイは、デジタルコンテンツを表示するように配され、表示されているデジタルコンテンツをコンピュータの制御下で容易に変更することを可能にする。ディスプレイは、乗り物（１８）の乗車位置または下車位置に、あるいはより好ましくは、ルートに沿って、例えば、異なるホーム間の地下鉄のトンネル内にあってもよい。
【００２７】
広告システム全体の人口統計学的情報収集システム構成要素は一般に、様々な手段、例えば、ローカルエリアネットワークにより、メインサーバー（２４）と通信する複数の無線通信デバイス（２２）を含む。無線通信デバイスは、例えば、Ｗｉ−Ｆｉ、Ｂｌｕｅｔｏｏｔｈ（登録商標）などを含む様々な無線手段によりユーザーのモバイルデバイスと通信するために配される適切なアンテナを含む。
【００２８】
地下鉄システムの例において、無線通信デバイス（２２）を、乗客ターミナルに、乗車位置と下車位置に対応するホームに、ホームに近い位置のルートに沿ってトンネル内に、またはディスプレイ（２０）に近いルートに沿って中間の位置に、設けることができる。またさらなる実施形態において、無線通信デバイス（２２）は乗り物自体に設けられることもある。
【００２９】
もう一方の例において、無線通信デバイス（２２）は、モバイルデバイスのユーザーに関する特定の人口統計学的な仮説を立てるために用いられることもある任意の他の利用可能な情報と共に、デバイスＩＤ情報を得るべくモバイルデバイス（１５）と通信するように配される。モバイルデバイスＩＤは他の関連情報と一緒に、サーバーのデータベースに保存するためにサーバーに伝達される。電話ＩＤは保存され、電話のユーザーのＩＤを表す。
【００３０】
ユーザーＩＤと連携して決定され、データベース上に保存され得る他の関連情報は、ルートＩＤ、交通機関の日時、乗車位置、下車位置などの交通機関情報、または他の関連する交通機関情報を含む。
【００３１】
電話ＩＤに関連するサービスプロバイダーからまたさらなる情報を得ることができる。さらに、電話ＩＤを介した電話モデルの識別に基づいて他の仮説を立てることもできる。追加の情報はすべてデータベース中に保存され、特定の電話ＩＤに関連する履歴の一部を形成する。その後、こうした情報を用いて特定の人口統計学的な仮説を立てることができ、該人口統計学的な仮説は、以下に詳細に記載されるように広告を決定する際に、その後のアクセスのためにユーザー／電話ＩＤと連携してさらに保存される。
【００３２】
プログラム可能なコンピュータ制御装置（２６）はシステム（１０）の一部を形成し、無線通信デバイス（２２）のネットワークを介して情報を収集する機能と、適切なアーカイブ化方法でサーバー（２４）のデータベースに情報を保存する機能を指示するために実行可能なプログラムを保存する。
【００３３】
制御装置（２６）はさらに、どの広告コンテンツが表示されるかを制御するために、ローカルネットワークを介して複数のディスプレイ（２０）と通信する。一般に、様々な広告コンテンツがサーバーまたは個々のディスプレイのローカルメモリー上に保存されることで、様々な広告コンテンツを制御装置（２６）のコマンド下で呼び出したり、表示したりすることができる。複数の異なる広告の各々は、年齢、性別、経済状態、興味関心などに関する広告に関連付けられる異なる人口統計学的な格付けを含んでいる。
【００３４】
制御装置によって実行されるプログラムは、１セットのディスプレイに関連付けられる特定のルートに沿ったものであることが確認されたユーザーすべてに関連する人口統計データを集めるために配される。選択されたルートのユーザーにのみ関連するデータはその後、ひとまとめにして閲覧され、人口統計学的情報全体がユーザーの大多数を代表するものであると決定され、その結果、プログラムはその後、所定の時間にその特定のルートに関連するユーザーのグループの代表的な人口統計全体に最も合致する人口統計学的な格付けを有する広告を選択してもよい。
【００３５】
選択された広告コンテンツがひとたび特定のルートに沿ってディスプレイ上に表示されると、広告が表示された特定のルートにいることが確認されたユーザーのモバイルＩＤに関連する人口統計学的情報は、広告コンテンツの視聴者数の証拠としてサーバーのデータベース上に確認とともに保存される。広告料金はコンテンツの実際の視聴者数に応じて合わせることができる。
【００３６】
広告が表示されていることの確認は、様々な故障検出について検査をパスした場合にのみ判定される。満たすべき条件は、所望の時刻範囲、所望の曜日範囲、視聴者数の所望の人口統計、ＬＥＤディスプレイの例において失敗していないＬＥＤのあらかじめ定められた数、および多くのディスプレイの例において失敗していないディスプレイ全体のあらかじめ定められた数を含む。さらに、広告コンテンツを表示中はいかなる緊急メッセージも表示することはできない。いったん広告が確認されると、視聴者の詳細の完全な報告書とその結果として生じる広告料金とともに、関係者への請求書の送付を進めることができる。
【００３７】
ユーザーに関して得られた人口統計学的情報を向上させるために、広告システム（１０）はユーザーのモバイルデバイス（１５）上で実行可能なアプリケーションと一緒に動作することもあり、アプリケーションは人口統計学的情報収集システムの一部を形成する。モバイルデバイスのユーザーはまず、モバイルデバイスとＷｉ−ＦｉまたはＢｌｕｅｔｏｏｔｈ（登録商標）接続で通信する無線通信デバイス（２２）を使用するなど様々な手段によりモバイルデバイス上で促されることもある。代替的に、ユーザーは、例えば、ＳＭＳメッセージ通信を用いることによって、モバイルネットワークを介して、他の広告形態または他の通信技術により、乗車位置または乗客ターミナルにおいて促されることもある。
【００３８】
もう一方の例において、ユーザーは、モバイルネットワーク、またはデバイス（２２）の無線ネットワークを介してアプリケーションを入手およびダウンロードするように促され、該アプリケーションはディスプレイ（２０）に示される広告コンテンツに関連付けられるまたは関する豊富なデータを提供する。好ましい実施形態では、映像は公共交通機関のルートに沿って一連のディスプレイに示され、その一方で音声コンテンツはモバイルネットワーク、または他の無線ネットワーク、例えば、Ｗｉ−Ｆｉ、Ｂｌｕｅｔｏｏｔｈ（登録商標）などでストリーミング配信される。この例において、音声コンテンツはディスプレイ上で映像コンテンツと同期して調整されるように配される。
【００３９】
トンネルに取り付けられた標識に表示されているビデオ画像と同期したモバイルデバイスで音声を伝えることが望ましい場合、モバイルデバイスにデータを伝達する２つの代替方法が企図される。一方の例において、モバイルデバイス上で実行可能なモバイルアプリケーションは音声コンテンツを再生するために使用される。最初の例において、モバイルアプリケーションは、映像と同期して再生するために、適切な時間に無線ネットワークで音声コンテンツのストリーミング配信を開始する。代替的に、音声コンテンツは、複数のユーザーへ映像広告を表示する前に、アプリケーションによって入手されたプレインストールされたデータの形態でモバイルアプリケーションによってモバイルデバイス上にダウンロードされる。その後、音声コンテンツは、いったんモバイルアプリケーションにより開始されるといつでも常に再生可能である。
【００４０】
同期して音声コンテンツの再生を開始するための２つの代替的な方法も以下のように企図される。
【００４１】
第１の例において、該システムがホームで待っている乗客から入手可能な情報をブラウズすることを目的とするものであり、列車の速度と、ルートに沿ったトンネルからディスプレイの最初の部分までの距離も知られている場合、列車の乗客が標識の最初の部分に到達するのにかかる時間を合理的な精度で計算することは可能である。したがって、その乗客がモバイルデバイス上でモバイルアプリケーションを実行している場合、音声はモバイルデバイスにストリーミング配信またはプレインストール可能であり、映像広告の最初の部分がルートに沿って取り付けられたディスプレイに現われると、開始することができる。とりわけ、公共交通機関の乗り物が公共交通機関のルートに沿って取り付けられた独立したディスプレイに近づくことによって映像広告が開始される場合、モバイルデバイス上での音声コンテンツの同期再生は、乗車位置からの公共交通機関の乗り物の出発時間、ルートに沿った公共交通機関の乗り物の速度、および乗車位置からのルートに沿った独立したディスプレイの距離を用いて、モバイルデバイスが最初のディスプレイに同じように接近するのはいつであるかを計算することにより達成される。
【００４２】
代替的な例において、モバイルデバイス上のカメラを用いて、ユーザーのモバイルデバイス上のコンテンツ、とりわけ音声コンテンツの同期再生の開始を決定することができる。したがって、映像広告と同期した音声コンテンツの再生の開始は、モバイルデバイスのカメラを用いて独立したディスプレイ上でビジュアルトリガーをキャプチャすることにより達成される。乗客がモバイルデバイス上で実行可能なモバイルアプリケーションを起動させていれば、モバイルデバイスは、以下の２つのビジュアルトリガーの１つに基づいて音声を開始するためにカメラを使用する：ｉ）第１のディスプレイの最初のフレームのフラッシュの発光を用いてストリーミング配信されたまたはプレインストールされた音声を起動するか、あるいはｉｉ）映像広告は、表示された画像にコードを埋め込む既存の技術を使用することができる。このコードは、ストリーミング配信された、またはプレインストールされた音声を起動するようにアプリケーションに命じる。
【００４３】
代替的に、モバイルデバイスのユーザーに提供される豊富なデータは、ユーザーに補助的な広告コンテンツを供給するために、より多くの映像、または関連するゲームなどの拡張広告コンテンツを単に含むこともある。好ましい例において、補助的な広告コンテンツは、交通機関のルートに沿った独立したディスプレイ上に表示される主な映像広告の続編である映像コンテンツを含む。
【００４４】
上に記載されているようなモバイルデバイス上のモバイルのアプリケーションのすべての例において、該方法は、モバイルデバイス上のアプリケーションを介してユーザーから追加の人口統計学的情報を入手する工程をさらに含む。
【００４５】
アプリケーションは、豊富なデータに対するアクセスを与える前にユーザーからの様々な許可を要求し、アプリケーションによって得られた許可は、ユーザーのモバイルデバイスから追加の人口統計学的情報を得ることを許可し、この情報もその後、ユーザーＩＤを表わす電話ＩＤと連携してサーバーのデータベース上に保存される。このようにして、時間が経つにつれ、列車の利用者数に関する分析データの大量のデータベースを集めることができる。情報は、制御装置（２６）が特定のルートに従って整理されるまたは特定のユーザーＩＤに従って整理される情報にアクセスすることができるように、アーカイブ化される。
【００４６】
本明細書に記載されるように、システムは、電車の乗客に関する自発的に提供された情報を用いて広告を動的にロードして表示し、同様に、広告の表示をさらに改善するために分析的なデータを集める。見る人は、様々な技術（ジオロケーション（ｇｅｏ−ｌｏｃａｔｉｏｎ）、Ｂｌｕｅｔｏｏｔｈ（登録商標）、埋め込まれた画像ヒント（ｉｍａｇｅ  ｈｉｎｔｓ））により動的な広告システムへの参加を許可するアプリケーションをスマートフォン上にダウンロードするように招待される。見る人は追加のコンテンツ、クーポンなどの提供に基づいて参加するように奨励される。該システムは、乗客の人口統計学的なパラメータに基づいて表示する広告を最良に識別するために、Ｂｌｕｅｔｏｏｔｈ（登録商標）接続やジオロケーションを介してホームや停止している列車の見る人を識別する。
【００４７】
トンネルの表示システムの機械に基づいた広告ワークフローは、広告を表示するために特定の機械に基づいた自動化プロセスを使用する。処理工程は一般に以下のとおりである：ｉ）列車の利用者数からの集められた分析に基づいた広告の販売；ｉｉ）デジタル広告コンテンツは事前に歪ませて、広範なエリアネットワークを介して表示システムに自動的にロードされる；ｉｉｉ）列車の位置と速度センサーと同様に乗客／見る人の情報に基づいた広告の自動支払いは、動的な広告システムによって集められる；ｉｖ）広告の起動の確認は専用の障害監視システムによって決定される。以下の条件が満たされる場合、広告が起動したことが分かる：所望の時刻範囲；所望の曜日範囲；列車上での所望の人口統計；故障したＬＥＤディスプレイは１つだけ；ＬＥＤディスプレイ上の故障したピクセルは２つだけ；標識に緊急メッセージの存在はない；および、ｖ）請求書送付プロセスと例外報告書プロセスがその後に続く。
【００４８】
本明細書に上記の如く記載された私の発明において、様々な変更を行うことができ、同じように、多くの明らかに多種多様な実施形態が、特許請求の範囲の範囲と精神を逸脱することなく、該精神と範囲内でなされることができるため、添付の明細書に包含されるすべての事は、単に例示目的でのみ解釈され、限定する意味では解釈されないことを理解されたい。
【図１】
2016531373.tif 000003
【図２】
2016531373.tif 000004
【国際調査報告】
2016531373.tif 000005
2016531373.tif 000006
2016531373.tif 000007
2016531373.tif 000008